(57)【要約】【課題】落下防止機能を維持しつつ器具本体の取り外し作業性を改善することができる照明器具及び照明器具取り外し方法を提供する。【解決手段】照明器具１０は、器具本体１１の長手方向に突出した天板１２の突出側に配置された短尺側取付バネ１４と、短尺側取付バネ１４の反対側に配置された長尺側取付バネ１５と、を備えた。【選択図】図１
2010277764.tif 000002
【特許請求の範囲】
【請求項１】
長方形状の器具本体と、
前記器具本体の長手方向に突出した天板と、
前記器具本体に取り付けられた取付バネと、
を備えて前記取付バネを介して天井材に取り付けられる照明器具であって、
前記取付バネは、前記天板の突出側に配置された短尺側取付バネと、前記短尺側取付バネの反対側に配置された長尺側取付バネと、を備えたことを特徴とする照明器具。
【請求項２】
長方形状の器具本体と、前記器具本体の長手方向に突出した天板と、前記天板の突出側に配置された短尺側取付バネと、前記短尺側取付バネの反対側に配置された長尺側取付バネと、を備えて、前記短尺側取付バネおよび前記長尺側取付バネを介して天井材に取り付けられる照明器具取り外し方法であって、
前記短尺側取付バネを残して、前記長尺側取付バネを前記天井材から先に取り外し、その後に、前記短尺側取付バネを前記天井材から取り外すことを特徴とする照明器具取り外し方法。
【発明の詳細な説明】
【技術分野】
【０００１】
本発明は、例えば住宅等の天井材に取り付けられて廊下や壁等を照明するダウンライトに用いられる照明器具に関し、特に、器具本体に取り付けられた取付バネを介して取り付けおよび取り外しを行う照明器具及び照明器具取り外し方法に関する。
【背景技術】
【０００２】
本発明者らは、器具本体を天井材の埋設孔を通じて埋設配設し、弾性ばね片を天井材の上面に弾接して天井材に取り付けられる照明器具を既に提案している（例えば、特許文献１参照）。
【先行技術文献】
【特許文献】
【０００３】
【特許文献１】特開２００８−０３４１４４号公報（図４、請求項１）
【発明の概要】
【発明が解決しようとする課題】
【０００４】
上記特許文献１に開示された従来の照明器具では、先端部に形成された落下防止機能である落下防止用フック部をそれぞれ有して同一の長さの弾性バネ片を複数設けている。
【０００５】
例えば、従来の照明器具と同様にして、長方形状の器具本体の長手方向に複数の弾性バネ片を設けた場合、その取り付けにあたり、電源線を端子台に接続し、器具本体の長手方向一方側の弾性バネ片の先端をつまんで埋込穴に挿入し、器具本体の長手方向他方側の弾性バネ片の先端をつまんで埋込穴に挿入し、弾性バネ片のそれぞれの落下防止用フック部を天井材に引っ掛けて保持し、器具本体を押し上げて埋込穴に入れる。
【０００６】
そして、その取り外しにあたり、器具本体を引き下げ、弾性バネ片のそれぞれの落下防止用フック部を天井材に引っ掛けて器具本体を保持してから、落下防止用フック部をそれぞれ天井材から取り外す。その際、最初に、器具本体の長手方向他方側の弾性バネ片の先端をつまんで埋込穴から引き抜いて器具本体を傾斜させ、その次に、器具本体の長手方向一方側の弾性バネ片の先端をつまんで埋込穴から引き抜く。
【０００７】
そのため、取り外しにおいて、器具本体の長手方向他方側の弾性バネ片の先端をつまんで埋込穴から引き抜いて器具本体を傾斜させている状態で、器具本体の長手方向一方側の弾性バネ片の先端をつまむことができず、取り外しが厄介になりうる。
【０００８】
本発明は、前述した課題を解決するためになされたものであり、その目的は、落下防止機能を維持しつつ器具本体の取り外し作業性を改善することができる照明器具及び照明器具取り外し方法を提供することにある。
【課題を解決するための手段】
【０００９】
本発明に係る照明器具は、長方形状の器具本体と、前記器具本体の長手方向に突出した天板と、前記器具本体に取り付けられた取付バネと、を備えて前記取付バネを介して天井材に取り付けられる照明器具であって、前記取付バネは、前記天板の突出側に配置された短尺側取付バネと、前記短尺側取付バネの反対側に配置された長尺側取付バネと、を備えたことを特徴とする。
【００１０】
本発明においては、取り外しに際し、器具本体を引き下げ、取付バネのそれぞれを天井材に引っ掛けて保持し、天板の突出側とは反対側の長尺側取付バネの先端をつまんで解除して器具本体を傾斜させ、その次に、天板の突出側に配置された短尺側取付バネの先端をつまんで解除して引き抜く。
これにより、器具本体が傾斜している際に、天板の突出側に配置された短尺側取付バネが短尺であるために先端をつまみ易い。
従って、落下防止機能を維持しつつ器具本体の取り外し作業性を改善することができる。
【００１１】
本発明に係る照明器具取り外し方法は、長方形状の器具本体と、前記器具本体の長手方向に突出した天板と、前記天板の突出側に配置された短尺側取付バネと、前記短尺側取付バネの反対側に配置された長尺側取付バネと、を備えて、前記短尺側取付バネおよび前記長尺側取付バネを介して天井材に取り付けられる照明器具取り外し方法であって、前記短尺側取付バネを残して、前記長尺側取付バネを前記天井材から先に取り外し、その後に、前記短尺側取付バネを前記天井材から取り外すことを特徴とする。
【００１２】
本発明においては、取り外しに際し、器具本体を引き下げ、取付バネのそれぞれを天井材に引っ掛けて保持し、短尺側取付バネを残して、天板の突出側とは反対側の長尺側取付バネの先端をつまんで天井材から先に取り外して器具本体を傾斜させ、その後に、短尺側取付バネの先端をつまんで解除して引き抜いて天井材から取り外す。
これにより、器具本体が傾斜している際に、天板の突出側に配置された短尺側取付バネが短尺であるために先端をつまみ易い。
従って、落下防止機能を維持しつつ器具本体を容易に取り外せる照明器具取り外し方法を提供することができる。
【発明の効果】
【００１３】
本発明の照明器具及び照明器具取り外し方法によれば、取付バネに、天板の突出側に配置された短尺側取付バネと、短尺側取付バネの反対側に配置された長尺側取付バネと、を備えた。
これにより、落下防止機能を維持しつつ器具本体の取り外し作業性を改善することができるという効果を有する。
【図面の簡単な説明】
【００１４】
【図１】本発明に係る一実施形態の照明器具の斜め上方から視た外観斜視図
【図２】本発明に係る一実施形態の照明器具取り外し方法を説明する外観斜視図
【図３】図１に示した照明器具の使用例の平面図
【発明を実施するための形態】
【００１５】
以下、本発明の一実施形態に係る照明器具及び照明器具取り外し方法について、図面を参照して説明する。
【００１６】
本発明の一実施形態である照明器具１０は、光源であるLEDを収容した長方形状の器具本体１１と、器具本体１１の長手方向に突出した天板１２と、天板１２に取り付けられた電源端子台１３と、器具本体１１に取り付けられた短尺側取付バネ１４および長尺側取付バネ１５と、を備えて天井材１に形成された埋設孔２に取り付けられる。
【００１７】
図１に示すように、器具本体１１は、金属製板部材をプレス成形したり、或いは硬質の樹脂材料を用いて成形したりして下方を開放した長方形状に形成されている。
【００１８】
器具本体１１は、その下端部にフランジ１６を形成している。フランジ１６は天井材１の下面に当接することにより器具本体１１を天井材１に位置決めする。
【００１９】
天板１２は、金属製の板部材であって、器具本体１１の長手方向に沿って器具本体１１の天部に取り付けられている。
【００２０】
天板１２は、その一端部に器具本体１１から突出した突出部１７を有し、突出部１７の下面に電源端子台１３を固定している。
【００２１】
電源端子台１３には、天井材１の上方から外部配線（図２参照）１８が引き込まれて電気的に接続されている。電源端子台１３は、不図示の器具配線を通じて器具本体１１に内装されている不図示の電源ユニットに電気的に接続される。電源ユニットはＬＥＤに電気的に接続されている。
【００２２】
短尺側取付バネ１４は、弾性を有する板部材により形成されており、天板１２の突出側の器具本体１１の下端部に器具本体１１の長手方向に直交して一対設けられている。短尺側取付バネ１４は長さ寸法Ｌ１を有し、その先端部に落下防止用フック部１９を形成している。短尺側取付バネ１４はフランジ１６の突出方向である水平方向に延出している。
【００２３】
長尺側取付バネ１５は、短尺側取付バネ１４と同様に弾性を有する板部材により形成されており、天板１２の非突出側の器具本体１１の下端部に器具本体１１の長手方向に直交して一対設けられている。長尺側取付バネ１５は短尺側取付バネ１４よりも大きい長さ寸法Ｌ２を有し、その先端部に落下防止用フック部２０を形成している。長尺側取付バネ１５は短尺側取付バネ１４と同様にフランジ１６の突出方向である水平方向に延出している。
【００２４】
次に、照明器具１０を適用した照明器具取付方法について説明する。
【００２５】
図２に示すように、取り付けにあたり、まず、外部配線１８を電源端子台１３に電気的に接続し、器具本体１１を天井材１の埋設孔２に挿入しながら、短尺側取付バネ１４をつまんで水平方向から垂直方向に弾性変形させて落下防止用フック部１９を天井材１の上面に引っ掛ける。
【００２６】
次に、器具本体１１を埋設孔２に押し込んでいきながら、長尺側取付バネ１５をつまんで水平方向から垂直方向に弾性変形させて落下防止用フック部２０を天井材１の上面に引っ掛ける。
【００２７】
各取付バネ１４，１５の落下防止用フック部１９，２０が天井材１の上面に引っ掛けられた後に、器具本体１１を埋設孔２にさらに押し込んでいき、不図示の固定手段等を用いて器具本体１１を天井材１に固定する。各取付バネ１４，１５は水平方向に弾性復元する。
【００２８】
次に、照明器具１０を適用した照明器具取り外し方法について説明する。
【００２９】
取り外しにあたり、固定手段を介して器具本体１１の天井材１への固定を解除する。すると、器具本体１１は自らの自重により埋設孔２内を下降し始める。このとき、各取付バネ１４，１５は器具本体１１の埋設孔２での下降に伴い、水平方向から垂直方向に弾性変形し始める。
【００３０】
器具本体１１が埋設孔２内を下降することにより、短尺側取付バネ１４の落下防止用フック部１９が最初に天井材１の上面に引っ掛かる。
【００３１】
器具本体１１は埋設孔２内をさらに下降するために、長尺側取付バネ１５の落下防止用フック部２０が続いて天井材１の上面に引っ掛かる。
【００３２】
このとき、器具本体１１は、天板１２の突出部１７の下面に固定されている電源端子台１３と天井材１の上面との間に大きなスペースを確保して天井材１に対して傾斜した姿勢を保持する。
これにより、電源端子台１３に接続されている外部配線１８を天井材１に接触させることがなく、外部配線１８を損傷させずに保護することができる。
【００３３】
次に、短尺側取付バネ１４を残しておいて、埋設孔２と器具本体１１との隙間から手工具や指等を突っ込んで長尺側取付バネ１５の先端部をつまんで弾性変形させることにより落下防止用フック部２０を天井材１の上面から取り外す。
【００３４】
そして、埋設孔２と器具本体１１との隙間から手工具や指等を突っ込んで、残しておいた短尺側取付バネ１４の先端部をつまんで弾性変形させることにより落下防止用フック部１９を天井材１の上面から取り外す。
【００３５】
このとき、短尺側取付バネ１４が短尺であるために先端をつまみ易くなっており、天井材１からの解除を極めて容易に行える。
【００３６】
各取付バネ１４，１５が天井材１から取り外された後に、器具本体１１を埋設孔２から取り外して照明器具取り外し方法を完了する。
【００３７】
図３に示すように、このような照明器具１０は、天井に並べて設置される。このとき、隣り合う照明器具１０の短尺側取付バネ１４と長尺側取付バネ１５とを対向させるように配置する。
これにより、それぞれの取付バネ１４，１５を干渉させずに、長尺側取付バネのみを有する従来の照明器具での各器具本体の離間距離Ｌ１と比較して、十分に小さい離間距離Ｌ２にそれぞれの器具本体１１を近接して設置することができる。
【００３８】
本発明の一実施形態の照明器具１０では、取り外しに際し、器具本体１１を引き下げ、各取付バネ１４，１５のそれぞれを天井材１の上面に引っ掛けて保持し、天板１２の突出側とは反対側の長尺側取付バネ１５の先端をつまんで解除して器具本体１１を傾斜させ、その次に、天板１２の突出側に配置された短尺側取付バネ１４の先端をつまんで解除して引き抜く。
これにより、器具本体１１が傾斜している際に、天板１２の突出側に配置された短尺側取付バネ１４が短尺であるために先端をつまみ易い。
従って、落下防止機能を維持しつつ器具本体１１の取り外し作業性を改善することができる。
【００３９】
本発明の一実施形態の照明器具取り外し方法では、取り外しに際し、器具本体１１を引き下げ、各取付バネ１４，１５のそれぞれを天井材１に引っ掛けて保持し、短尺側取付バネ１４を残して、天板１２の突出側とは反対側の長尺側取付バネ１５の先端をつまんで天井材１から先に取り外して器具本体１１を傾斜させ、その後に、短尺側取付バネ１４の先端をつまんで解除して引き抜いて天井材１から取り外す。
これにより、器具本体１１が傾斜している際に、天板１２の突出側に配置された短尺側取付バネ１４が短尺であるために先端をつまみ易い。
従って、落下防止機能を維持しつつ器具本体１１を容易に取り外せる照明器具取り外し方法を提供することができる。
【００４０】
なお、前記実施形態で使用した器具本体１１、天板１２、電源端子台１３等の形状は例示したものに限定するものではなく適宜変更が可能である。
【符号の説明】
【００４１】
１  天井材
１０  照明器具
１１  器具本体
１２  天板
１４  短尺側取付バネ（取付バネ）
１５  長尺側取付バネ（取付バネ）
【図１】
2010277764.tif 000003
【図２】
2010277764.tif 000004
【図３】
2010277764.tif 000005